(57)【要約】【課題】遠隔閉じ込め救出が可能な閉じ込め故障に遭遇した乗客を長時間に亘って閉じ込められないように緊急脱出させるエレベータ緊急脱出装置を提供する。【解決手段】エレベータ緊急脱出装置は、遠隔閉じ込め救出のサービスがサポートされているエレベータに閉じ込められた乗客を緊急で脱出させるエレベータ緊急脱出装置であって、乗客が閉じ込められている経過時間を計時する計時手段３１と、緊急脱出の条件を満足していることを確認する確認手段３３と、上記遠隔閉じ込め救出のサービスのために上記エレベータ側に配備された遠隔閉じ込め救出装置１７を起動して緊急脱出を実行する実行手段３４と、を有する。【選択図】図１
2009155021.tif 000002
【特許請求の範囲】
【請求項１】
遠隔閉じ込め救出のサービスがサポートされているエレベータに閉じ込められた乗客を緊急で脱出させるエレベータ緊急脱出装置であって、
乗客が閉じ込められている経過時間を計時する計時手段と、
緊急脱出の条件を満足していることを確認する確認手段と、
上記遠隔閉じ込め救出のサービスのために上記エレベータ側に配備された遠隔閉じ込め救出装置を起動して緊急脱出を実行する実行手段と、
を有することを特徴とするエレベータ緊急脱出装置。
【請求項２】
上記緊急脱出の条件は、法定安全装置が作動していない、電源が活きている、および上記遠隔閉じ込め救出装置が正常であることを特徴とする請求項１に記載のエレベータ緊急脱出装置。
【発明の詳細な説明】
【技術分野】
【０００１】
この発明は、乗客がエレベータのかごに閉じ込められたとき緊急に脱出することのできるエレベータ緊急脱出装置に関するものである。
【背景技術】
【０００２】
非常停止したエレベータのかご内に閉じ込められた乗客を監視センタ側からの操作により救出する閉じ込め遠隔救出装置は、エレベータの動作状態情報を収集する端末手段と、この端末手段から監視センタへ動作状態情報を送信可能な通信手段と、非常停止したかごを低速で走行させる救出制御手段と、かご内に閉じ込められた乗客と監視センタの監視員との通話を可能とする通話手段とを備える。また、監視センタに、閉じ込め故障発生通報に応じて端末手段からエレベータの動作状態情報を読み出し表示するエレベータ状態表示手段と、動作状態情報に基づき閉じ込め故障の原因を判定する閉じ込め原因判定手段と、所定の手順に基づき通信手段を介して救出制御手段を動作させる救出手順操作手段とを設ける（例えば、特許文献１参照）。
【０００３】
【特許文献１】特開２００２−２８４４６１号公報
【発明の開示】
【発明が解決しようとする課題】
【０００４】
しかし、例えば加速度センサが誤動作して非常停止したエレベータのように法定安全装置が作動していないエレベータであれば通常遠隔閉じ込め救出が可能であるが、監視センタが監視している地域が、例えば大きな揺れの地震に襲われたときなどでは閉じ込め故障が多発し監視センタとの通信がオーバフローしてしまい、遠隔閉じ込め救出がなされずに長時間に亘ってかご内に乗客が閉じ込められてしまうという問題がある。
【０００５】
この発明の目的は、遠隔閉じ込め救出が可能な閉じ込め故障に遭遇した乗客を長時間に亘って閉じ込められないように緊急脱出させるエレベータ緊急脱出装置を提供することである。
【課題を解決するための手段】
【０００６】
この発明に係るエレベータ緊急脱出装置は、遠隔閉じ込め救出のサービスがサポートされているエレベータに閉じ込められた乗客を緊急で脱出させるエレベータ緊急脱出装置であって、乗客が閉じ込められている経過時間を計時する計時手段と、緊急脱出の条件を満足していることを確認する確認手段と、上記遠隔閉じ込め救出のサービスのために上記エレベータ側に配備された遠隔閉じ込め救出装置を起動して緊急脱出を実行する実行手段と、を有する。
【発明の効果】
【０００７】
この発明に係るエレベータ緊急脱出装置の効果は、遠隔閉じ込め救出のサービスがサポートされているエレベータに備わっており、遠隔閉じ込め救出が可能な状態であっても閉じ込め故障が多発しているために通信ができないときでも所定の時間が経過し且つ緊急脱出を実行しても良いときであれば遠隔閉じ込め救出装置を活用して監視センタと独立して緊急脱出するので、監視センタが混雑していなければ遠隔閉じ込め救出が可能な閉じ込めから乗客を脱出することができることである。
【発明を実施するための最良の形態】
【０００８】
図１は、この発明の実施の形態に係るエレベータ緊急脱出装置が配備されたエレベータの概略図である。
この発明に係るエレベータは、図１に示すように、機械室に設置されエレベータの動きを制御する運転制御盤１、ロープ２の一端に接続され昇降路３内を昇降するかご４、ロープ２の他端に接続され昇降路３内を昇降するつり合いおもり５、機械室に配置されロープ２が巻き掛けられるとともにこのロープ２に駆動力を付与する巻上ユニット６、この巻上ユニット６に備えられる電磁ブレーキ７、かご４の速度超過を検出する加速度検出装置８、かご４の出入口に配置されるかご扉９、乗場１０の出入口に配置されかご扉９と対向可能な乗場扉１１、かご扉９が閉じていることを検出するかご扉閉スイッチ１２、および、乗場扉１１が閉じていることを検出する乗場扉閉スイッチ１３を備えている。
【０００９】
また、この発明に係るエレベータは、遠隔閉じ込め救出可能な状態にあるときには遠隔地にある監視センタ１６からの操作により乗客を最寄り階に救出する遠隔閉じ込め救出のサービスがサポートされている。そして、このサービスを提供するためにエレベータ側に遠隔閉じ込め救出装置１７、監視センタ１６側に指令盤１８が配備されており、遠隔閉じ込め救出装置１７と指令盤１８が通信回線１９を介して接続されている。
【００１０】
図２は、この発明の実施の形態に係る遠隔閉じ込め救出装置１７の機能ブロック図である。
遠隔閉じ込め救出装置１７は、エレベータの動作状態情報を収集する端末手段２１、この端末手段２１から指令盤１８へ動作状態情報を送信可能な通信手段２２、非常停止したかご４を低速で走行させる救出制御手段２３、および、かご４内に閉じ込められた乗客と監視センタ１６の監視員との通話を可能とする通話手段２４を有する。
【００１１】
図３は、この発明の実施の形態に係る指令盤１８の機能ブロック図である。
指令盤１８は、閉じ込め故障発生通報に応じて端末手段２１からエレベータの動作状態情報を読み出し表示するエレベータ状態表示手段２６、動作状態情報に基づき閉じ込め故障の原因を判定する閉じ込め原因判定手段２７、所定の手順に基づき通信回線１９を介して救出制御手段２３を動作させる救出手順操作手段２８、および、遠隔閉じ込め救出装置１７と通信する通信手段２９を有する。
【００１２】
なお、遠隔閉じ込め救出の手順は一般的であるので簡単に説明する。
運転制御盤１の制御によりエレベータの走行運転が行われているとき、例えば安全装置の１つである加速度検出装置８の誤動作により発生した閉じ込め故障を端末手段２１が検出すると、通信回線１９を介して監視センタ１６へその旨の通報を行う。これに応じて監視センタ１６ではエレベータ状態表示手段２６により端末手段２１からエレベータの動作状態情報が読み出され表示されるとともに閉じ込め原因判定手段２７により閉じ込め原因を判定する。今の場合加速度検出装置８が作動したことが閉じ込め原因と判定する。
【００１３】
次に、図示しない法定安全装置が動作しているかどうかを判断し、動作していることが判断されるとエンジニアを派遣する旨を乗客に伝え、法定安全装置が動作していないと判断されるとかご４内に閉じ込められた乗客に対して遠隔操作により安全に脱出できる旨を伝える。
次に、救出手順操作手段２８は通信回線１９を介して救出制御手段２３に動作指令を送信する。今の場合加速度検出装置８をリセットしてかご４の走行を可能とする。そして、走行可能となったときに救出手順操作手段２８は通信回線１９を介して救出制御手段２３に動作指令を送信し、救出制御手段２３はエレベータを低速運転モードで最寄り階に走行して停車し、かご４が最寄り階に停車したらかご扉９および乗場扉１１を開ける。
【００１４】
図４は、この発明の実施の形態に係るエレベータ緊急脱出装置３０の機能ブロック図である。図５は、この発明に係るかご内操作盤３６の操作面を示す平面図である。
この発明に係るエレベータ緊急脱出装置３０は、閉じ込め故障の経過時間を計時する計時手段３１、乗客が救出を依頼するように促進する促進手段３２、緊急脱出の条件を満足していることを確認する確認手段３３、および、遠隔閉じ込め救出装置１７を起動して緊急脱出を実行する実行手段３４を有する。なお、この発明に係るエレベータ緊急脱出装置３０は、ＣＰＵ、ＲＯＭ、ＲＡＭ、インターフェース回路を有するコンピュータから構成されている。
【００１５】
計時手段３１は、端末手段２１でかご４が故障で階床間に停車していることの情報を収集し且つかご内操作盤３６の非常呼び出しボタン３７が押下されると計時を開始し経過時間を得る。
促進手段３２は、乗客が監視センタ１６と連絡を取るように促すためにかご内操作盤３６に設けられた表示盤３８にインターホンボタン３９を押すように促す表示を表示する。
確認手段３３は、経過時間が緊急脱出を必要とする所定の時間、例えば３０分を超えていること、法定安全装置が作動していないこと、エレベータの電源が活きていること、および、遠隔閉じ込め救出装置１７が正常であることを確認する。
実行手段３４は、確認手段３３により緊急脱出を実行に移しても良いと判断されたとき、指令盤１８の救出手順操作手段２８の代わりに遠隔閉じ込め救出装置１７に対して遠隔閉じ込め救出の動作指令を送信し、かご４を最寄り階に低速運転モードで走行して停車し、かご４が最寄り階に停車したらかご扉９および乗場扉１１を開けるようにする。
【００１６】
図６は、この発明の実施の形態に係るエレベータ緊急脱出装置３０での緊急脱出手順を示すフローチャートである。
かご４が運転中に何らかの理由により階床間に停止してしまい、そのため乗客がかご内操作盤３６に設けられている非常呼び出しボタン３７を押下すると緊急脱出手順が開始される。なお、遠隔閉じ込め救出装置１７がかご内に乗客が閉じ込まれていることを検知する機能を有している場合には、遠隔閉じ込め救出装置１７が閉じ込め故障を検知したときに緊急脱出手順を開始しても良い。
【００１７】
ステップＳ１０１で、計時を開始し閉じ込め故障の経過時間を得る。
ステップＳ１０２で、インターホンボタン３９が押下されたか否かを判断し、インターホンボタン３９が押下されたときステップＳ１０４に進み、インターホンボタン３９が押下されなかったときステップＳ１０３に進む。
ステップＳ１０３で、かご内操作盤３６に設けられている表示盤３８にインターホンボタン３９を押すように表示する。例えば、「インターホンボタンを押して下さい。」と表示する。
ステップＳ１０４で、経過時間が所定の時間以上経過したか否かを判断し、経過時間が所定の時間以上経過したときステップＳ１０５に進み、経過時間が所定の時間未満のときステップＳ１０２に戻る。
ステップＳ１０５で、緊急脱出を開始する旨、「インターホンボタンを１０秒以上押し続けて下さい」と表示盤３８に表示する。
ステップＳ１０６で、インターホンボタン３９が１０秒以上押下されたか否か判断し、インターホンボタン３９が１０秒以上押下されたときステップＳ１０７に進み、インターホンボタン３９が１０秒以上押下されていないときステップＳ１０５に戻る。
ステップＳ１０７で、法定安全装置が作動したか否かを判断し、法定安全装置が作動したとき緊急脱出手順を終了し、法定安全装置が作動していないときステップＳ１０８に進む。
ステップＳ１０８で、エレベータの電源が活きているか否かを判断し、エレベータの電源が死んでいるとき緊急脱出手順を終了し、エレベータの電源が活きているときステップＳ１０９に進む。
ステップＳ１０９で、遠隔閉じ込め救出装置１７が正常であるか否かを判断し、遠隔閉じ込め救出装置１７が正常であるときステップＳ１１０に進み、遠隔閉じ込め救出装置１７が異常のとき緊急脱出手順を終了する。
ステップＳ１１０で、遠隔閉じ込め救出装置１７を起動し、「救出運転中です。しばらくお待ち下さい」と表示盤３８に表示しながらかご４を最寄り階に低速で走行して停車する。
ステップＳ１１１で、「扉が開きますので脱出して下さい」と表示盤３８に表示し、最寄り階の乗場扉１１とかご扉９を開いてかご４から脱出するように促す。
ステップＳ１１２で、乗場扉１１およびかご扉９を開けてから所定の時間経過したら乗場扉１１およびかご扉９を閉じて緊急脱出手順を終了する。
【００１８】
この発明に係るエレベータ緊急脱出装置３０は、遠隔閉じ込め救出のサービスがサポートされているエレベータに備わっており、遠隔閉じ込め救出が可能な状態であっても閉じ込め故障が多発しているために監視センタ１６と通信ができないときでも所定の時間が経過し且つ緊急脱出を実行しても良いときであれば遠隔閉じ込め救出装置１７を活用して監視センタ１６とは独立して緊急脱出するので、監視センタ１６が混雑していなければ遠隔閉じ込め救出が可能な閉じ込めから乗客を脱出することができる。
【００１９】
すなわち、法定安全装置が作動したり、電源が死んでいたり、遠隔閉じ込め装置１７が異常である場合にはエンジニアにより現地で対策を施さないと閉じ込めから救出はできないが、それ以外の場合にはこの発明のエレベータ緊急脱出装置３０が動作することにより監視センタ１６との通信が出来るまで待つことなく閉じ込めから脱出することができる。
また、遠隔閉じ込め救出が可能な閉じ込めからの乗客を脱出させることができるので、エンジニアは遠隔閉じ込め救出が不可能な閉じ込めからの乗客の救出に専念できる。
【図面の簡単な説明】
【００２０】
【図１】この発明の実施の形態に係るエレベータ緊急脱出装置が配備されたエレベータの概略図である。
【図２】この発明の実施の形態に係る遠隔閉じ込め救出装置の機能ブロック図である。
【図３】この発明の実施の形態に係る操作盤の機能ブロック図である。
【図４】この発明の実施の形態に係るエレベータ緊急脱出装置の機能ブロック図である。
【図５】この発明に係るかご内操作盤の操作面を示す平面図である。
【図６】この発明の実施の形態に係るエレベータ緊急脱出装置での緊急脱出手順を示すフローチャートである。
【符号の説明】
【００２１】
１  運転制御盤、２  ロープ、３  昇降路、４  かご、５  つり合いおもり、６  巻上ユニット、７  電磁ブレーキ、８  加速度検出装置、９  かご扉、１０  乗場、１１  乗場扉、１２  かご扉閉スイッチ、１３  乗場扉閉スイッチ、１６  監視センタ、１７  遠隔閉じ込め救出装置、１８  指令盤、１９  通信回線、２１  端末手段、２２  通信手段、２３  救出制御手段、２４  通話手段、２６  エレベータ状態表示手段、２７  閉じ込め原因判定手段、２８  救出手順操作手段、２９  通信手段、３０  エレベータ緊急脱出装置、３１  計時手段、３２  促進手段、３３  確認手段、３４  実行手段、３６  かご内操作盤、３７  非常呼び出しボタン、３８  表示盤、３９  インターホンボタン。
【図１】
2009155021.tif 000003
【図２】
2009155021.tif 000004
【図３】
2009155021.tif 000005
【図４】
2009155021.tif 000006
【図５】
2009155021.tif 000007
【図６】
2009155021.tif 000008